(57)【要約】【課題】  吊りボルトに振止ワイヤーを連結して，吊りボルトのワイヤーによる確実な振れ止めを行うようにする。【解決手段】  吊りボルト５に物体２側の支持金具３を固定する固定ナット１１の締着を，支持金具３の双方の面と各固定ナット１１間に，支持金具３側のスペーサー用の厚肉ワッシャー６と，固定ナット１１側の金属ワッシャー８との２種のワッシャーを重合状に介設して行うことによって支持金具３から浮かし状態となる金属ワッシャー８の外周に多数透設した任意のワイヤー挿通孔１０に斜め方向からの振止ワイヤー１２を連結することによって吊りボルト５のワイヤー１２による振れ止めを行うようにし，吊りボルトに対する無方向的なワイヤー１２の連結が可能となるようにする。【選択図】        図２
2005127364.tif 000002
【特許請求の範囲】
【請求項１】
スペーサー用の厚肉ワッシャーと外周に多数のワイヤー挿通孔を透設した金属ワッシャーとの２種のワッシャーを用い，これらワッシャーを支持金具の少なくとも一方面に重合配置し固定ナットの締着を行なうことによって上記金属ワッシャーを支持金具から離隔した浮かし状態として該支持金具を吊りボルトに固定し且つ該金属ワッシャーの任意のワイヤー挿通孔に斜め方向からの振止ワイヤーを挿通することによって上記吊りボルトに振止ワイヤーを連結してなることを特徴とする吊りボルトのワイヤー振止装置。
【請求項２】
上記２種のワッシャーを，上記支持金具の双方面に重合配置して振止ワイヤーの連結を一方又は双方の金属ワッシャーに対して行ってなることを特徴とする請求項１に記載の吊りボルトのワイヤー振止装置。
【請求項３】
上記スペーサー用の厚肉ワッシャーをゴムワッシャーとしてなることを特徴とする請求項１又は２に記載の吊りボルトのワイヤー振止装置。
【請求項４】
上記金属ワッシャーを円形の平板とし，そのワイヤー挿通孔を，吊りボルトの中心軸から６０度ピッチの６ヶ所の等間隔に配置してなることを特徴とする請求項１，２又は３に記載の吊りボルトのワイヤー振止装置。
【発明の詳細な説明】
【技術分野】
【０００１】
本発明は，建物のコンクリートスラブや屋根構造材等（以下「コンクリートスラブ」という）に，例えば照明器具，冷暖房機器，ダクト，ケーブルラック等各種の物体を吊りボルトによって吊り支持するについて，その振れ止めをなすように用いる吊りボルトの振止装置に関する。
【背景技術】
【０００２】
コンクリートスラブに吊りボルトを用いて吊り支持した，例えばケーブルラック，ダクト等を吊り支持した吊りボルトの揺動を防止するために，例えば吊りボルトを被嵌してこれに固定する吊りボルト側の金具と，この金具の締着片にボルトナットで締着固定することによって角度自在に連結する傾斜金具とによって支持金具を構成し，コンクリートスラブから吊りボルトに対して斜め方向からの振止用ボルトの下端部分を上記傾斜金具の締着片に形成した透孔に受け入れて固定ナットで締着することによってコンクリートスラブから垂下する吊りボルトに振止用ボルトを連結するようにした吊りボルトのボルト振止装置が知られている。
【０００３】
【特許文献１】特開２００２−３３９９１８号
【発明の開示】
【発明が解決しようとする課題】
【０００４】
この場合吊りボルトは振止用ボルトによって確実に支持されてその振れ止めがなされ，例えば地震によって吊り支持した物体が揺動するのを有効に防止することができるが，一方で，該振止装置にあっては，複数の部材によって連結金具を形成するために，これら相互の連結及びその傾斜金具と連結ボルトの連結が必要となって，振れ止めのための作業が煩雑となる傾向があり，また振れ止めはコンクリートスラブと吊りボルト間を傾斜して連結する振止用ボルトによって行うから，これに用いる振止用ボルトが長尺のものとなり易く，従って振れ止めのコストが高くなる傾向がある。
【０００５】
本発明はかかる事情に鑑みてなされたもので，その解決課題とするところは，ワイヤーを用いて振れ止めを行なうようにするについて，可及的簡単な構造にして吊りボルトとワイヤーを簡易に連結することができ且つ吊りボルトの振れ止めを確実になし得るようにした吊りボルトのワイヤー振止装置を提供するにある。
【課題を解決するための手段】
【０００６】
上記課題に添って本発明は，吊りボルトに物体側の支持金具を固定する固定ナット（ダブルナットといってもよい）の締着を，支持金具の少なくとも片側面と固定ナット間に，支持金具側スペーサー用の厚肉ワッシャーと，固定ナット側金属ワッシャーとの２種のワッシャーを重合状に介設して行うことによって支持金具から浮かし状態に設置された金属ワッシャーの外周に多数透設した任意のワイヤー挿通孔に斜め方向からの振止ワイヤーを連結することによって吊りボルトのワイヤーによる振れ止めを行うようにし，簡単な構造にして，いずれの方向からのワイヤー連結をもできるようにしてワイヤー連結の無方向性を確保するとともに吊りボルトの振れ止めを安定して確実になし得るようにしたものであって，即ち請求項１に記載の発明を，スペーサー用の厚肉ワッシャーと外周に多数のワイヤー挿通孔を透設した金属ワッシャーとの２種のワッシャーを用い，これらワッシャーを支持金具の少なくとも一方面に重合配置し固定ナットの締着を行なうことによって上記金属ワッシャーを支持金具から離隔した浮かし状態として該支持金具を吊りボルトに固定し且つ該金属ワッシャーの任意のワイヤー挿通孔に斜め方向からの振止ワイヤーを挿通することによって上記吊りボルトに振止ワイヤーを連結してなることを特徴とする吊りボルトのワイヤー振止装置としたものである。
【０００７】
請求項２に記載の発明は，上記に加えて，ワイヤー連結の無方向性を向上するとともに複数方向からのワイヤー連結にも容易に対応し得るものとするように，これを，上記２種のワッシャーを，上記支持金具の双方面に重合配置して振止ワイヤーの連結を一方又は双方の金属ワッシャーに対して行ってなることを特徴とする請求項１に記載の吊りボルトのワイヤー振止装置としたものである。
【０００８】
請求項３に記載の発明は，同じく上記に加えて，上記厚肉ワッシャーを高度な摩擦抵抗を有してワッシャー機能を確保し得るとともにスペーサーとして金属ワッシャーの浮かし配置を比較的安価にして確実に確保し得るものとするように，これを，上記スペーサー用の厚肉ワッシャーをゴムワッシャーとしてなることを特徴とする請求項１又は２に記載の吊りボルトのワイヤー振止装置としたものである。
【０００９】
請求項４に記載の発明は，同じく上記に加えて，金属ワッシャーの形状を簡易にして使い勝手のよいものとするとともに上記ワイヤー連結の無方向性を更に高度に確保し得るものとするように，これを，上記金属ワッシャーを円形の平板とし，そのワイヤー挿通孔を，吊りボルトの中心軸から６０度ピッチの６ヶ所の等間隔に配置してなることを特徴とする請求項１，２又は３に記載の吊りボルトのワイヤー振止装置としたものである。
【発明の効果】
【００１０】
本発明は以上のとおりに構成したから，請求項１に記載の発明は，吊りボルトに物体側の支持金具を固定する固定ナットの締着を，少なくとも支持金具の片側面と固定ナットとの間に，支持金具側のスペーサー用の厚肉ワッシャーと，固定ナット側の金属ワッシャーとの２種のワッシャーを重合介設して行うとともに，これによって支持金具から浮かし状態となる金属ワッシャーの外周に多数透設した任意のワイヤー挿通孔に斜め方向からの振止ワイヤーを連結することによって吊りボルトのワイヤーによる振れ止めを行うようにして，簡単な構造にして，いずれの方向からのワイヤー連結をも可及的自由になし得て無方向的なワイヤー連結を可能とするとともに吊りボルトの振れ止めを安定且つ確実になし得るようにした吊りボルトのワイヤー振れ止め装置を提供することができる。
【００１１】
請求項２に記載の発明は，上記に加えて，ワイヤー連結の無方向性を向上するとともに複数方向からのワイヤー連結にも容易に対応し得るものとすることができる。
【００１２】
請求項３に記載の発明は，同じく上記に加えて，上記厚肉ワッシャーを高度な摩擦抵抗を有してワッシャー機能を確保し得るとともにスペーサーとして金属ワッシャーの浮かし配置を比較的安価にして確実に確保し得るものとすることができる。
【００１３】
請求項４に記載の発明は，同じく上記に加えて，金属ワッシャーの形状を簡易にして使い勝手のよいものとするとともに上記ワイヤー連結の無方向性を更に高度に確保し得るものとするものとすることができる。
【発明を実施するための最良の形態】
【００１４】
以下図面の例に従って本発明を更に具体的に説明すると，１はコンクリートスラブ，２は該コンクリートスラブ１から垂下した吊りボルト５によって吊り支持した物体，３は物体２に設置し，吊りボルト５に固定ナット１１によって締着挟持する物体吊り支持用にしてボルト貫通孔４を備えた，例えばブラケット等の支持金具を示す。
【００１５】
吊りボルト５は，同じくコンクリートスラブ１から該吊りボルト５に対して斜め方向となるように配置した振止ワイヤー１２によって，その固定ナット１１の支持金具３締着部分において振れ止めを行なって，例えば地震による物体２の揺動を防止するように耐震性を確保したものとしてある。
【００１６】
該吊りボルト５の振れ止めは，固定ナット１１の支持金具３締着部分において厚肉ワッシャー６と金属ワッシャー８との２種のワッシャーを用いて該金属ワッシャー８に上記振止ワイヤー１２を連結することによってこれを行ったものとしてある。
【００１７】
即ち厚肉ワッシャー６は，スペーサー用とし，金属ワッシャー８は，外周に多数のワイヤー挿通孔９を透設した中実円柱状のものとしてあり，これら２種のワッシャー６，８を支持金具３の少なくとも一方面に重合配置し固定ナット１１の締着を行なうことによって上記金属ワッシャー８を支持金具３から離隔した浮かし状態として該支持金具３を吊りボルト１１に固定し且つ該金属ワッシャー８の任意のワイヤー挿通孔１０に斜め方向からの振止ワイヤー１２を挿通することによって上記吊りボルト５に振止ワイヤー１２を連結したものとしてある。
【００１８】
このとき本例の上記２種のワッシャー ６，８は，これを，上記支持金具３の双方面に重合配置して振止ワイヤー１２の連結を一方又は双方，図示した例では吊りボルト５の上位に位置する一方の金属ワッシャー８に対して行ったものとしてある。
【００１９】
厚肉ワッシャー６は，本例にあってゴムワッシャーとしてあり，例えば合成ゴムを厚肉リング状として，その中央のボルト貫通孔９に吊りボルト５のボルト軸を貫通することによって該ボルト軸に装着してあり，本例において該ゴムワッシャーは，固定ナット１１よりやや大きめの平面円形にして，その厚さを１〜２ｃｍ程度或いはこれより厚いものとして，支持金具３との間に該厚さに応じた間隔を確保し，上記金属ワッシャー８を浮かし状態として，その上記ワイヤー挿通孔１０への振止ワイヤー１２の挿通を容易になし得るものとしてある。
【００２０】
金属ワッシャー８は，本例にあって，これを円形の平板とし，そのワイヤー挿通孔１０を，吊りボルト５の中心軸から６０度ピッチの６ヶ所の等間隔に配置したものとしてあり，例えば固定ナット１１の外径よりその外周に１ｃｍ程度乃至それ以上突出する３ｃｍ程度乃至それ以上の直径を有して，１．５〜２，３ｍｍ程度の厚さを持つ比較的厚肉の金属，例えば鋼板をプレス加工することによって，中央にボルト貫通孔７を，外周に上記本例にあって６つのワイヤー挿通孔１０を透設した，径大にして厚肉円盤状のものとしてある。
【００２１】
これら２種のワッシャー６，８を用いた吊りボルト５による物体２の吊り支持及び振止ワイヤー１２による吊りボルト５の振れ止めは，支持金具３に該支持金具３側から厚肉ワッシャー６，金属ワッシャー８を配置し，これらを介した状態で固定ナット１１の締着を行ない，金属ワッシャー８に振止ワイヤー１２を連結した状態とすればよく，支持金具３の双方面に金属ワッシャー８を備えた本例にあって，その手順は，吊りボルト５に上方一方の固定ナット１１を螺装し，その下位に金属ワッシャー８，厚肉ワッシャー６，支持金具３，厚肉ワッシャー６及び金属ワッシャー８を，この順番で装着して下方一方の固定ナット１１を螺装し，支持金具３の高さに合せるように，上下位双方の固定ナット１１を締着して該支持金具３を固定ナット１１によって締着挟持してその固定を行ない，その後に金属ワッシャー８の任意のワイヤー挿通孔１０に振止ワイヤー１２を連結するようにすればよい。このとき金属ワッシャー６，厚肉ワッシャー８及び支持金具３の装着は，それぞれ設置したボルト貫通孔４，７，９に吊りボルト５を貫通するようにしてこれを行えばよく，また金属ワッシャー８のワイヤー挿通孔１０への振止ワイヤー１２の連結は，コンクリートスラブ１からの振止ワイヤー１２を任意のワイヤー挿通孔１０，即ち一般には振止ワイヤー１２に最も近いワイヤー挿通孔１０に，金属ワッシャー８の上下一方から挿通し，該振止ワイヤー１２をループ状に固定，即ちその挿通した先端を該振止ワイヤー１２のループ近傍位置で，例えばアルミスリーブを用いてこれを圧潰する等適宜の止め金具１３を用いる等してその固定を行なうようにすればよい。金属ワッシャー８を支持金具３の片側面に備えたものとするには，その片側に支持金具３側から厚肉ワッシャー６，金属ワッシャー８及び固定ナット１１を同様に配置して，該固定ナット１１と常法に従って吊りボルト５に配置したワッシャーを介した固定ナット１１とを締着して支持金具３の挟持固定を同様に行なえばよい。
【００２２】
本例にあっては金属ワッシャー８を支持金具３の双方面に備えたから，双方面の各６ヶ所のワイヤー挿通孔１０が，一般には双方で位置がズレた状態で上下に１２ヶ所配置され，現場において異なる任意の方向からの振止ワイヤー１２に対応して該金属ワッシャー８に対する振止ワイヤー１２の連結を無方向的に行うことが可能であり，また現場の必要に応じていずれか又は双方の金属ワッシャー８に対して，複数の斜め方向からの振止ワイヤー１２の複数連結を行うことによって該吊りボルト５の振れ止めの効果を向上することもできる。
【００２３】
このように構成した本例の振止装置を用いることによって，厚肉ワッシャー６が支持金具３と金属ワッシャー８との間でスペーサーとなり，金属ワッシャー８を支持金具３から浮かし状態とすることによって，振止ワイヤー１２のワイヤー挿通孔１０への挿通を手作業によって容易且つ確実になし得て，吊りボルト５による物体２の吊り支持に際して，これと同時に先付けの金属ワッシャー８に対して極めて簡単な作業によって吊りボルト５の振れ止めを容易に行うことができるとともに振止ワイヤー１２の振れ止めを固定ナット１１の支持金具３の締着部分とすることによって吊りボルト５の確実な振れ止めを行い，また特殊の連結金具を用いることなく２種のワッシャー６，８とワイヤー１２とで吊りボルト５の低コストの振れ止めを行なうものとすることができる。
【００２４】
図示した例は以上のとおりとしたが，金属ワッシャーを方形乃至矩形としてその対角線上に４ヶ所のワイヤー挿通孔を配置し，またこれらの間に更に４ヶ所を追加配置して合計８ヶ所とすること，金属ワッシャーを花弁状としてその突出先端部にワイヤー挿通孔を配置すること，厚肉ワッシャーをナイロン等の合成樹脂製のものとし，また金属と合成樹脂等の複合のものとすること，厚肉ワッシャーをスペーサー機能を確保し得る複数部材によって形成すること等を含めて，本発明の実施に当って，厚肉ワッシャー，金属ワッシャー，そのワイヤー挿通孔，支持金具，固定ナット，振止ワイヤー，必要に応じて用いるゴムワッシャー等の各具体的形状，構造，材質，これらの関係，これらに対する付加，その振れ止めの具体的方法等は，上記発明の要旨に反しない限り様々な形態とすることができる。
【図面の簡単な説明】
【００２５】
【図１】吊りボルトの振れ止め支持状態を示す斜視図である。
【図２】要部を示す拡大斜視図である。
【図３】要部の分解斜視図である。
【符号の説明】
【００２６】
１  コンクリートスラブ
２  物体
３  支持金具
４  ボルト貫通孔
５  吊りボルト
６  厚肉ワッシャー
７  ボルト貫通孔
８  金属ワッシャー
９  ボルト貫通孔
１０  ワイヤー挿通孔
１１  固定ナット
１２  振止ワイヤー
１３  止め金具
【図１】
2005127364.tif 000003
【図２】
2005127364.tif 000004
【図３】
2005127364.tif 000005